(57)【要約】【課題】  電源部と端子部を分離して構成し、充電時の電池パックの載置安定化を図った小型軽量の充電装置を提供する。【解決手段】  電池パック２０に接続するための挿入穴を有する電池パック接続部１０と、差込プラグ３ａを有する電源アダプタ部１と、これらを接続するコード５を有し、電源アダプタ部１に交流電圧変換器を設け、電池パック接続部１０は、変換された交流を整流する整流回路と、電池パック２０の接続端子２５への電流の供給と遮断を制御する電流遮断回路と、電池パックの充電完了を検出し電流遮断回路を制御する充電完了検出回路を設けた。電池パック接続部１の重量は、装着する電池パック２０の重量よりも軽く構成し、電池パック２０の上側に電池パック接続部１を装着できるようにした。【選択図】図５
2011160551.tif 000002
【特許請求の範囲】
【請求項１】
電池パックに接続するための挿入穴を有する電池パック接続部と、
電源コンセントに接続するための差込プラグを有する電源アダプタ部と、
前記電源アダプタ部と前記電池パック接続部を接続するコード、を有する充電装置であって、
前記電源アダプタ部は、供給される交流電圧を低い交流電圧に変換する電源電圧変換器を有し、
前記電池パック接続部は、変換された前記交流を整流する整流回路と、前記電池パックの充電端子への電流の供給と遮断を制御する電流遮断回路と、前記電池パックの充電完了を検出し前記電流遮断回路を制御する充電完了検出回路を有し、
前記電池パック接続部は、前記電池パックの差込部に被せるように装着されることを特徴とする充電装置。
【請求項２】
前記電池パック接続部は、
上ケースと、
前記上ケースと共に電池パック接続部の筐体を形成し、電池パックに接続するための挿入穴を有する下ケースと、
前記上ケースと前記したケースの内部に収容され、前記整流回路と前記電池パックの接続端子に接続するための電極と前記充電完了検出回路を搭載する基板と、を有することを特徴とする請求項１に記載の充電装置。
【請求項３】
前記電池パック接続部の容積は、装着する前記電池パックの容積よりも小さく構成されることを特徴とする請求項２に記載の充電装置。
【請求項４】
前記電池パック接続部の重量は、装着する前記電池パックの重量よりも軽く構成されることを特徴とする請求項２に記載の充電装置。
【請求項５】
前記電池パック接続部は、上向き又は下向きのいずれの方向にも置くことができるように、上面及び下面が平行な面で構成されることを特徴とする請求項１から４のいずれか一項に記載の充電装置。
【請求項６】
前記電池パック接続部の上面及び下面に水抜き穴を設けたことを特徴とする請求項５に記載の充電装置。
【請求項７】
前記電池パック接続部の上面及び下面と、これらを接続する側面に前記コードを巻き付けるための凹部を形成し、
前記挿入穴は前記凹部とオーバーラップする位置に形成されることを特徴とする請求項５に記載の充電装置。
【請求項８】
前記凹部に、コードを止めるためのストッパ部を形成したことを特徴とする請求項７に記載の充電装置。
【請求項９】
電池パックの差込部を挿入するための凹部を有する電池パック接続部と、
前記電池パック接続部に接続されるコードと、
前記コードに接続され、電源コンセントに接続するための差込プラグと、を有し、
前記電池パック接続部は、前記電池パックの差込部に被せるように装着されることを特徴とする充電装置。
【請求項１０】
前記電池パックの前後方向の長さは、前記電池パック接続部の長さよりも大きい事を特徴とする請求項９に記載の充電装置。
【請求項１１】
前記電池パック接続部を前記差込部に挿入した状態において、前記電池パック接続部の前記電池パックに対向する面には、水抜き穴が設けられることを特徴とする請求項１０に記載の充電装置。
【請求項１２】
電池パックは端子が設けられた差込部を有し、
前記電池パック接続部は、前記端子の５方向を覆うように装着されることを特徴とする請求項９に記載の充電装置。
【発明の詳細な説明】
【技術分野】
【０００１】
本発明は、コードレス電動工具の駆動源として用いられる電池パックを充電するための充電装置に関する。
【背景技術】
【０００２】
一般に充電装置は、電源コードから印加される交流電圧又は直流電圧を降圧若しくは昇圧する電源変圧回路（１次回路）と、各種回路を搭載する回路基板と、これらを収納するケースから構成されている。ケースには充電対象の電池パックを装着するための装着穴が形成される。ここで、回路基板は、電源変圧回路（１次回路）で変圧した電圧を充電端子を介して電池端子に印加して電池パックに充電電流を流し、充電中の電池電圧等を監視して満充電を検出し、その検出結果に基づいて充電停止等の充電制御を行う充電回路（２次回路）を備える。
【０００３】
ところで、充電装置は屋外で使用されることがあるため電池パックの充電中に水が内部に浸入することがある。この水漏れの対策として特許文献１では本体ケース内に浸入した水を排出する排出口を設け、装着穴からケースの内部に伝わった水を底面に開口する排出口から外部に排出するように構成している。
【先行技術文献】
【特許文献】
【０００４】
【特許文献１】特開２００９−１７８０１１号公報
【発明の概要】
【発明が解決しようとする課題】
【０００５】
充電装置としては、特許文献１のように装着される電池パックよりも大きいケースを有するものが提供される一方、携行性や重量の点から、小型軽量な充電装置も求められている。そこで発明者らは、充電装置の小型化及び軽量化を検討してきたが、充電装置の本体ケースの大きさを小さくして床面積を小さくすると、上側から装着されるバッテリの重量が重いため、充電中の充電装置の安定性が悪くなってしまうという問題が生ずる。また、充電装置が正立状態でなく横に倒れた状態になると電池パックの取り外しが煩わしくなり、操作性が悪くなる。さらに、屋外で使用する場合には、充電装置が横に倒れた状態になったりすると電池パックと充電装置と連結部から水が入りやすくなるという問題が生ずることがわかった。
【０００６】
本発明は上記背景に鑑みてなされたもので、その目的は小型軽量化を実現した充電装置を提供することにある。
【０００７】
本発明の他の目的は、電源部と端子部を分離して構成することにより、充電時の電池パックの載置安定化を図った充電装置を提供することにある。
【０００８】
本発明のさらに他の目的は、充電装置の端子部に容易に電池パックを装着することができる使い勝手の良い充電装置を提供することにある。
【課題を解決するための手段】
【０００９】
本願において開示される発明のうち代表的なものの特徴を説明すれば次の通りである。
【００１０】
本発明の一つの特徴によれば、電池パックに接続するための挿入穴を有する電池パック接続部と、電源コンセントに接続するための差込プラグを有する電源アダプタ部と、電源アダプタ部と電池パック接続部を接続するコードを有する充電装置であって、電源アダプタ部は、供給される交流電圧を低い交流電圧に変換する電源電圧変換器を有し、電池パック接続部は、変換された交流を整流する整流回路と、電池パックの充電端子への電流の供給と遮断を制御する電流遮断回路と、電池パックの充電完了を検出し電流遮断回路を制御する充電完了検出回路を有し、電池パック接続部は、電池パックから突出する差込部に被せるように装着されるようにした。電池パック接続部は、上ケースと、上ケースと共に電池パック接続部の筐体を形成し、電池パックに接続するための挿入穴が形成される下ケースと、上ケースとしたケースの内部に収容され、整流回路と、電池パックの接続端子に接続するための電極と、充電完了検出回路を搭載する基板を有する。
【００１１】
本発明の他の特徴によれば、電池パック接続部の容積は、装着する電池パックの容積よりも小さく構成され、電池パック接続部の重量は、装着する電池パックの重量よりも軽く構成する。電池パック接続部は、上向き又は下向きのいずれの方向にも置くことができるように、上面及び下面が平行な面で構成される。そして、電池パック接続部の上面及び下面に水抜き用の穴を設けた。
【００１２】
本発明のさらに他の特徴によれば、電池パック接続部の上面及び下面と、これらを接続する側面にコードを巻き付けるための凹部を形成し、挿入穴は凹部とオーバーラップする位置に形成されるように構成した。凹部には、コードを止めるためのストッパ部を形成し、凹部がコードリールとして作用するようにした。
【００１３】
本発明のさらに他の特徴によれば、電池パックの差込部を挿入するための凹部を有する電池パック接続部と、電池パック接続部に接続されるコードと、コードに接続され、電源コンセントに接続するための差込プラグを有し、電池パック接続部は、電池パックの差込部に被せるように装着するように構成した。電池パックは端子が設けられた差込部を有し、電池パック接続部は、端子の５方向を覆うように装着される。電池パックの前後方向の長さは、電池パック接続部の長さよりも大きくなるように構成される。また、電池パック接続部を電池パックから突出する差込部に挿入した状態において、電池パック接続部の電池パックに対向する面には、水抜き穴が設けられる。
【発明の効果】
【００１４】
請求項１の発明によれば、充電装置を電池パック接続部と電源アダプタ部で構成し、電源アダプタ部に電源電圧変換器を配置して、その他の回路だけを電池パック接続部に配置し、電池パック接続部を電池パックから突出する差込部に被せて装着するように構成したので、充電装置の小型軽量化を実現することができる。また、電池パック接続部を電池パックの差込部に上から被せるような形状としたので、雨等に曝された場合の耐水性を大幅に向上させることができる。
【００１５】
請求項２の発明によれば、電池パック接続部は上ケースと、電池パックを装着する挿入穴を有する下ケースで構成したので、製造コストを低減させて、組立のし易い充電装置を実現できる。
【００１６】
請求項３の発明によれば、電池パック接続部の容積は、装着する電池パックの容積よりも小さく構成されるので、電池パックの上に電池パック接続部を安定して保持させることができる。
【００１７】
請求項４の発明によれば、電池パック接続部の重量は、装着する電池パックの重量よりも軽く構成されるので、電池パックの上に電池パック接続部を安定して保持させることができる。
【００１８】
請求項５の発明によれば、電池パック接続部は、上向き又は下向きのいずれの方向にも置くことができるように、上面及び下面が平行な面で構成されるので、装着時に電池パック接続部を倒立させておいて、片手で電池パックを電池パック接続部に装着することができる。
【００１９】
請求項６の発明によれば、電池パック接続部の上面及び下面に水抜き穴を設けたので、電池パック接続部のケース内に水が入ったとしても効果的に外部に排出することができる。
【００２０】
請求項７の発明によれば、電池パック接続部の上面及び下面と、これらを接続する側面にコードを巻き付けるための凹部を形成し、挿入穴は凹部とオーバーラップする位置に形成されるので、充電を行う場合は必ずコード５の巻き取りを解除する必要があり、コードを巻いた状態のまま充電を行うことを防止できる。
【００２１】
請求項８の発明によれば、凹部にコードを止めるためのストッパ部を形成したので、巻き付けたコードを容易に保持させることができる。
【００２２】
請求項９の発明によれば、電池パック接続部は、電池パックの差込部に被せるように装着されるので、雨等に曝された場合の耐水性を大幅に向上させることができる。
【００２３】
請求項１０の発明によれば、電池パックの前後方向の長さは、電池パック接続部の長さよりも大きいので、電池パック接続部を電池パックに接続した状態で前後方向に転倒しにくくなり、安定した状態で充電を行うことができる。
【００２４】
請求項１１の発明によれば、電池パック接続部の電池パックに対向する面には、水抜き穴が設けられるので、電池パック接続部に内部に入った水が、重力によって下ケースより効果的に外部へと排出される。
【００２５】
請求項１２の発明によれば、電池パックは端子が設けられた差込部を有し、電池パック接続部は、端子の５方向を覆うので、側方４面と上面の５方法を電池パック接続部が上から覆うので、雨などが掛かりにくく、充電装置及び電池パックの耐久性を向上させることができる。
【００２６】
本発明の上記及び他の目的ならびに新規な特徴は、以下の明細書の記載及び図面から明らかになるであろう。
【図面の簡単な説明】
【００２７】
【図１】本発明に係る充電装置の外観図である。
【図２】図１の電池パック接続部１０をＡ方向からみた側面図である。
【図３】図１の電池パック接続部１０をＢ方向からみた側面図である。
【図４】図１のＣ−Ｃ部の断面図である。
【図５】電池パック２０に電池パック接続部１０を装着した状態を示す図であり、電池パック接続部１０は断面図で示している。
【図６】図１の電池パック接続部１０をＤ方向からみた正面図である。
【図７】電池パック接続部１０の上面図である。
【図８】本発明の実施例に係る充電装置の回路ブロック図である。
【図９】電池パック２０に電池パック接続部１０を装着する手順を説明するための図である（その１）。
【図１０】電池パック２０に電池パック接続部１０を装着する手順を説明するための図である（その２）。
【図１１】電池パック２０に電池パック接続部１０を装着する手順を説明するための図である（その３）。
【発明を実施するための形態】
【実施例１】
【００２８】
以下、本発明の実施例を図面に基づいて説明する。なお、以下の図において、同一の部分には同一の符号を付し、繰り返しの説明は省略する。また、本願において充電装置のアダプタ部１の上下方向は、図中に記載した方向を指すものとして説明する。
【００２９】
図１は本発明に係る充電装置の外観図である。本発明に係る充電装置はアダプタ部１と、電池パック接続部１０と、アダプタ部１から電池パック接続部１０へ送電するためのコード５により構成される。アダプタ部１は、ハウジング２と、ハウジング２から突出して、商用電源のコンセントに差し込むための１対の差込プラグ３ａと、差込プラグ３ａと所定の間隔の位置に設けられる接地極３ｂにより構成される。アダプタ部１の内部には、高電圧の交流電圧から低電圧の交流電圧を取り出すための電源電圧変換器である公知のトランスが含まれる。図１に示すアダプタ部１は、例えばＡＣ２３０Ｖのコンセントに差し込まれるものを示しているが、差込プラグ３ａと接地極３ｂの形状、及び、接地極３ｂの有無については、本充電装置が用いられる国のコンセント形状に合わせて構成すれば良い。
【００３０】
コード５は、図１では結束具６で束ねた状態を図示しているが、充電を行う際には結束具６を外した状態で用い、コード５の全長は例えば１．５ｍ程度の長さとなる。コード５のアダプタ部１との接合部には、コード５を保護するための樹脂製のブッシング４が設けられる。同様にして、コード５の電池パック接続部１０との接合部には、樹脂製のブッシング７が設けられる。ここで、ブッシングとは、コードをハウジングやケースの貫通穴に固定し、引張りやねじれから保護するための部材である。
【００３１】
電池パック接続部１０は、電池パックの電極部が設けられる差込部に、キャップのように被せる部分であり、図１において電池パック接続部１０は、底面側から見た状態を示している。電池パック接続部１０は、アダプタ部１からコード５により給電された電力を整流して図示しない電池パックに供給するための２つの接続端子、即ちプラス端子１５ａとマイナス端子１５ｂが設けられる。電池パック接続部１０の底面、ほぼ中央付近には、下から見た際に断面が長円形の電池装着穴１２ａが形成される。
【００３２】
電池装着穴１２ａは、後述する電池パックの差込部を嵌挿する部分である。電池装着穴１２ａの距離の隔てた２箇所には、電池の種類を識別するためのＴ端子１６ａと、電池温度検出用のＳ端子１６ｂが設けられる。また、電池装着穴１２ａの円周上の特定箇所には、上下方向に延びる案内リブ１７が形成され、案内リブ１７に対応する特定の凹部を有する電池パック（通常、電圧と電池のタイプに合わせて異なる）だけが電池パック接続部１０に装着できるように構成される。本実施例の充電装置では、複数の出力電圧に対応するのではなく、例えば１２Ｖ等の電池パックにのみ対応させて、充電装置の軽量化及びコストダウンが図られている。
【００３３】
下ケース１２の底面の周辺の複数箇所には、電池パック接続部１０の内部に侵入した水分を排出するための微少な水抜き穴１２ｆが構成される。この水抜き穴１２ｆの大きさや設けられる位置は、内部の水分が排出できるように適宜決定すれば良い。また、水抜き穴１２ｆの数は図１の例では片側に２つだけであるが、他の任意の数としても良い。
【００３４】
図２は、図１の電池パック接続部１０をＡ方向からみた側面図である。電池パック接続部１０の筐体は、分割面から上下に２分割されるように構成され、上ケース１１と下ケース１２が２つのネジ１９（図１参照）にて固定される。上ケース１１と下ケース１２は、例えばプラスチック等の合成樹脂の成型加工により製造され、下ケース１２の底面に電池装着穴１２ａが形成される。上ケース１１の平面部分１１ｃの間と、側面部には、その外形が段差状にへこんだ凹部１１ｂが形成される。同様に、下ケース１２の底面１２ｃと側面には、その外形がへこんで段差状に窪んだ凹部１２ｂが形成される。この凹部１１ｂ、１２ｂは、充電装置を使用しない時にコード５を巻き付けるためのリール部分となる。また、凹部１１ｂ、１２ｂの片側には、リブ１４が形成され、これらリブ１４と凹部１１ｂ、１２ｂの段差面との間はコード５の幅とほぼ同等に形成されて、コード５をこの隙間に挟むことによって巻き付けたコード５が緩まないように保持させることができる。図２の例では、凹部１１ｂ、１２ｂの後方側からコード５が引き出され、ブッシング７が上ケース１１と下ケース１２の分割面で挟持されているため、リブ１４は、凹部１１ｂ、１２ｂの前方側に設けられる。尚、リブ１４は上ケース１１と下ケース１２から延びるものであり、上ケース１１部分と、下ケース１２部分とはそれぞれ一体成型で構成される。
【００３５】
図３は、図１の電池パック接続部１０をＢ方向からみた側面図である。ここで、図２で示すＡ方向からみた側面と、図３で示すＢ方向からみた側面は、コード５とブッシング７の有無を除いて対称であり、ほぼ同じ形状であることが理解できるであろう。尚、図３においては、電池装着穴１２ａの位置するのは下ケース１２の底面１２ｃであって、凹部１２ｂとオーバーラップする位置関係になる。従って、コード５を凹部１１ｂ、１２ｂに巻き付けて使用する場合は、電池装着穴１２ａの開口部を跨ぐようにコード５を巻き付けることになる。従って、充電を行う場合は必ずコード５の巻き取りを解除する必要があるので、コードを巻いた状態のまま充電を行うことを防止できる。
【００３６】
図４は、図１のＣ−Ｃ部の断面図である。尚、図１のＣ−Ｃ線においては直線でなく、中央部付近ではネジ１９上を通る断面であることに留意されたい。上ケース１１と下ケース１２は、ほぼ水平な分割面にて上下に分割される。上ケース１１内には、電気回路素子を搭載するための基板１８が設けられる。基板１８は上面視で略四角形の回路基板であり、コード５にて供給される交流電力が供給され、また、後述する電池パックに直流電力を供給するための図示しないプラス端子１５ａとマイナス端子１５ｂ、及び、Ｔ端子１６ａとＳ端子１６ｂが設けられる。下ケース１２内には、電池パックの差込部を嵌挿する電池装着穴１２ａが形成される。電池装着穴１２ａは、電池パックの差込部の外形とほぼ同形の長筒状の形状である。本図から理解できるように、下ケース１２の凹部１２ｂは、電池装着穴１２ａの開口１２ｄ部分の約８割程度に構成されている。電池装着穴１２ａの上部には天井面１２ｅが形成され、電池パックの差込部の上端が天井面１２ｅに突き当たるように構成される。この突き当たる際に、プラス端子１５ａ、マイナス端子１５ｂ、Ｔ端子１６ａ及びＳ端子１６ｂが、電池パック側の対応する接続端子と良好に接触する状態となる。
【００３７】
図５は、電池パック２０に電池パック接続部１０を装着した状態を示す図であり、電池パック２０は側面図で、電池パック接続部１０は断面図で示している。電池パック２０は、ケース内に図示しない電池セルを横置き及び縦置きに収容するもので、側面から見た際の形状が略Ｌ字状になるように配置される。この電池パック２０は、電動工具に装着された状態では、電池パック２０の差込部２２が図示しない電動工具のハウジングの内部に入り込むように収納され、残りの部分、即ち本体部２１が電動工具のハウジングから外部に露出した状態で取り付けられる。尚、図中の矢印で示す前後方向は、電池パック接続部１０及び電池パック２０の前後を示すものであるが、本図から電池パック２０の前後方向の長さは、前記電池パック接続部１０の前後方法の長さよりも大幅に長いことが理解できるであろう。
【００３８】
図６は、電池パック接続部１０の正面図であり、図１のＤ方向からみた部分を示す。本図から、電池パック接続部１０の左右方向の幅Ｗ１は、電池パック２０の幅Ｗ２とほぼ同じ幅であることが理解できるであろう。電池パック接続部１０の正面側には、充電中を示すＬＥＤ８が設けられ、充電中には例えば赤く点灯する。また、充電が完了したら、ＬＥＤ８を消灯させても良いし、充電中と充電完了の表示を色にて区別するように、例えば緑で点灯させても良い。尚、ＬＥＤ８を設ける位置は、電池パック接続部１０の前側だけに限られずに、他の側面（右面、左面、背面）であっても良い。このようにＬＥＤを上面又は底面に設けるのではなく側面に設けるようにすれば、電池パック接続部１０を下向きに使ったときにもＬＥＤ８が載置面と接触しないので、ＬＥＤが壊れにくい。さらに、電池パック接続部１０の上面の凹部１１ｂの領域内にＬＥＤを設けても良い。この場合、アダプタを下向きに使ったときにはＬＥＤが上面に来るのでＬＥＤを容易に確認できる。また、ＬＥＤの状態を確認する必要性から、作業者は電池パック接続部１０の設置方向を常に同方向（図５のような状況）に置く傾向が強くなる。
【００３９】
図７は、電池パック接続部１０の上面図である。電池パック接続部１０の上ケース１１は、上面が略平面上に形成されるが、側面から続くコード５を巻き付けるためのリール部分となる凹部１１ｂが上面にも形成される。従って、上面を下にして電池パック接続部１０を床置きする場合は、２つの分離された平面部分１１ｃにより保持されることになる。尚、上ケース１１の平面部分１１ｃには、電池パック接続部１０の内部に侵入した水分を排出するための微少な水抜き穴１１ｄが形成される。この水抜き穴１１ｄの大きさは、内部の水分が排出できるように適宜決定すればよい。また、水抜き穴１１ｄの数は図１の例では２つであるが、他の任意の数としても良い。
【００４０】
本実施例に用いられる電池パック２０は、側面から見た際に略Ｌ字状に形成したため、差込部２２の大きさ（特に直径）を小さくすることができ、差込部２２が収容される電動工具のハウジング径の小径化が可能となる。また、差込部２２の内部に電池セルを分散配置したので、本体部２１を小型に形成することができ効率的な電池パックの配置を実現できる。電池パック２０の重量は、例えば、９．６Ｖ仕様で３８０ｇ、１２Ｖ仕様で４８０ｇ、１４．４Ｖ仕様で６００ｇ、１８Ｖ仕様で７５０ｇ程度である。本実施例による充電装置では、電池パック接続部１０の重量は電池パック２０の重量の半分以下であり、約１３０ｇ程度である。
【００４１】
次に図８を用いて、本発明の実施例に係る充電装置の回路ブロックを説明する。アダプタ部１のハウジング２には、差込プラグ３ａと、この差込プラグ３ａに接続される電源電圧変換器３５が収容される。電源電圧変換器３５は、例えば高電圧の交流電力を低電圧の交流電圧に変換するトランスであり、本実施例ではＡＣ２３０ＶをＡＣ２３Ｖ程度に降圧する。このようにトランスを用いることによりトランスの二次側には絶縁降圧された交流をコード５に出力することができる。電池パック接続部１０内に配置される基板１８には、コード５によって供給される低電圧の交流を直流に変換するための整流回路３６が搭載される。整流回路３６は、例えばダイオードブリッジと平滑用のコンデンサを用いた公知の整流回路であり、小型軽量に構成できる。整流回路３６によって変換された直流は、電流遮断回路３７を介して電池パック２０に供給される。
【００４２】
電流遮断回路３７は、外部の制御回路からの制御信号に基づいて充電のオン又はオフの制御をするもので、本実施例では充電完了検出回路３８の出力に基づいて充電のオフの制御をする。充電完了検出回路３８は、例えば温度検出回路により構成でき、電池パック２０内の電池セルの温度が所定の温度以上になった場合に充電が完了したものとして電流遮断回路３７に制御信号たる遮断信号を出力し、充電を終了させる。
【００４３】
次に図９から図１１を用いて、本発明の実施例に係る充電装置における電池パック接続部１０の装着手順を説明する。以下の装着手順は、必ずしもこのような装着手順でなければならないという性質のものではなく、あくまで便利な装着手順の一例を示すものである。
【００４４】
発明者らの調査により、本実施例に掛かる電池パック２０を充電装置に装着する際の初期状態は、充電装置を床に置いたままの状態で有ることが多いことがわかった。この状態で作業者は図示しない電動工具から電池パック２０を取り外して、手で保持することになる。この際、充電装置の電池パック接続部１０を図９に示すように、電池装着穴１２ａが上方に開口するように、つまり倒立状態となるように床やテーブル等の載置面３１に置かれることが多い。この倒立状態であれば作業者は電池パック２０を片手でもって、接続端子２５が下になるように差込部２２を下にして、案内段差２４の方向を併せながら矢印４１で示す方向に電池パック２０を移動させることができる。
【００４５】
作業者が電池パック２０の差込部２２を電池装着穴１２ａ内に挿入することにより片手で簡単に電池パック２０を電池パック接続部１０に装着することができる。この際、電池パック接続部１０の下側（上面）は載置面３１に置かれているため、作業者が電池パック接続部１０を手で押さえなくても、案内段差２４は、案内リブ１７によって案内され、電池パック２０を電池パック接続部１０に装着することができる。しかも電池パック２０は比較的重いので、作業者が力を込めて押し込まなくても自重にて自然に装着できるので、非常に使い勝手がよい。このようにして装着した後の状態を示すのが図１０である。この状態で充電しても全く差し障りはないが、好ましくは図１０の状態から上下を反転させて、図１１のようにさせた状態で充電を行うと好ましい。
【００４６】
図１１の状態では、電池パック２０の差込部２２が電池パック接続部１０にてすっぽりと覆われる形状となるため、電池パック２０の差し込み用の電池装着穴１２ａの開口は下向きとなり、降雨等で水に濡れたとしても電池パック接続部１０が傘の役目を果たし、内部の回路基板内に水が入る恐れが大幅に少なくなる。また、電池パック２０の差込部２２が上向きに置かれるので、電池パック２０の充電端子やその他の接続端子が水に曝される恐れが非常に少なくなる。尚、この際、電池パック接続部１０は４２で示す位置にて庇状に突出するように上ケース１１と下ケース１２の外形を決定したので、電池パック接続部１０に付着した雨滴等が側面に沿って落下しても電池パック２０に掛かることなく良好に載置面３１に落下する。
【００４７】
充電が完了した際には、作業者は図１１の状態から電池パック接続部１０だけを上側に引き上げるだけで、電池パック２０を手で押さえなくても容易に電池パック接続部１０を取り外すことができる。これは、電池パック２０が電池パック接続部１０に比べて十分重いためである。
【００４８】
以上説明したように、本実施例によれば充電装置をアダプタ部１と電池パック接続部１０で分離して構成したので、電池パック接続部１０を電池パック２０の差込部２２に上から被せるような形状とすることができた。このため雨等に曝された場合に、耐水性を大幅に向上させることができた。また、充電装置の小型、軽量化を達成できたので、携行性の高い充電器を達成できた。
【００４９】
以上、本発明を実施例に基づいて説明したが、本発明は上述の実施例に限定されるものではなく、その趣旨を逸脱しない範囲内で種々の変更が可能である。例えば、上述の実施例ではアダプタ部１内にＡＣ−ＡＣ変換器を収容してコード５で低電圧の交流を供給するように構成したが、これに限られずに、アダプタ部１内にＡＣ−ＤＣ変換器等の電源電圧変換器を収容し、コード５で低電圧の直流を電池パック接続部１０に供給するように構成しても良い。
【符号の説明】
【００５０】
１  アダプタ部      ２  ハウジング      ３ａ  差込プラグ
３ｂ  接地極      ４  ブッシング      ５  コード      ６  結束具
７  ブッシング      １０  電池パック接続部
１１  上ケース      １１ｂ  凹部      
１１ｃ  （上ケースの上側の）平面部      １１ｄ  水抜き穴
１２  下ケース          １２ａ  電池装着穴      １２ｂ  凹部  
１２ｃ  底面      １２ｄ  開口      １２ｅ  天井面
１２ｆ  水抜き穴      １４  リブ      １５ａ  プラス端子
１５ｂ  マイナス端子      １６ａ  Ｔ端子      １６ｂ  Ｓ端子
１７  案内リブ      １８  基板      １９  ネジ      ２０  電池パック
２１  本体部      ２２  差込部      ２４  案内段差      ２５  接続端子
３１  載置面      ３５  電源電圧変換器      ３６  整流回路
３７  電流遮断回路      ３８  充電完了検出回路
【図１】
2011160551.tif 000003
【図２】
2011160551.tif 000004
【図３】
2011160551.tif 000005
【図４】
2011160551.tif 000006
【図５】
2011160551.tif 000007
【図６】
2011160551.tif 000008
【図７】
2011160551.tif 000009
【図８】
2011160551.tif 000010
【図９】
2011160551.tif 000011
【図１０】
2011160551.tif 000012
【図１１】
2011160551.tif 000013